(57)【要約】【課題】利便性を向上できる冷蔵庫を提供する。【解決手段】貯蔵室５内に前後方向にスライド可能に配される収納ケース３５と、収納ケース３５の対向する周壁に沿ってそれぞれ移動可能な一対の可動部５０、６０と、可動部５０、６０間を連結して収納ケース内を仕切る仕切部４１、４２とを備えた冷蔵庫１において、収納ケース３５の周壁上に所定間隔で係止部３８を並設し、可動部５０、６０が複数の係止部３８によって係止されるようにした。【選択図】図２
2016161264.tif 000002
【特許請求の範囲】
【請求項１】
貯蔵室内に前後方向にスライド可能に配される収納ケースと、前記収納ケースの対向する周壁に沿ってそれぞれ移動可能な一対の可動部と、前記可動部間を連結して前記収納ケース内を仕切る仕切部とを備えた冷蔵庫において、前記周壁上に所定間隔で係止部を並設し、前記可動部が複数の前記係止部によって係止されることを特徴とする冷蔵庫。
【請求項２】
前記係止部が前記周壁の縦面上に凹設される複数の凹部により形成され、前記可動部が前記周壁を挟む挟持部と、前記挟持部の内面に形成される突起部とを有し、前記挟持部の弾性により前記突起部と前記凹部とが係合して前記可動部が係止されることを特徴とする請求項１に記載の冷蔵庫。
【請求項３】
前記係止部が前記周壁の縦面上から突出する複数の突起部により形成され、前記可動部が前記周壁を挟む挟持部と、前記挟持部の内面に凹設される凹部とを有し、前記挟持部の弾性により前記突起部と前記凹部とが係合して前記可動部が係止されることを特徴とする請求項１に記載の冷蔵庫。
【請求項４】
前記係止部が上面を開放して前記周壁の長手方向に並設される溝部により形成され、前記可動部が前記溝部に嵌合する嵌合部を有し、前記周壁上に載置される前記可動部の前記嵌合部が前記溝部に嵌合して前記可動部が係止されることを特徴とする請求項１に記載の冷蔵庫。
【請求項５】
所定位置の前記溝部が他の前記溝部と異なる深さに形成されることを特徴とする請求項４に記載の冷蔵庫。
【発明の詳細な説明】
【技術分野】
【０００１】
本発明は、収納ケース内に仕切りを設けた冷蔵庫に関する。
【背景技術】
【０００２】
従来の冷蔵庫は特許文献１に開示されている。この冷蔵庫は複数の貯蔵室を備え、収納ケースを保持して前後にスライドする扉により所定の貯蔵室が開閉される。収納ケースには内部を左右に仕切る縦仕切部と、前後に仕切る横仕切部が設けられる。
【０００３】
縦仕切部は上下に並設されるロッドの前後端を連結した環状に形成される。横仕切部も同様に、上下に並設されるロッドの左右端を連結した環状に形成される。縦仕切部のロッドと横仕切部のロッドとは異なる高さに配置される。
【０００４】
収納ケースの前後壁及び両側壁にはガイドレールが設けられる。ガイドレールの内面には上下に延びる複数の溝が長手方向に並んで形成される。収納ケースの前壁及び後壁にはガイドレールに外嵌される一対の第１可動部が設けられ、第１可動部はガイドレールに沿って左右方向に移動可能になっている。縦仕切部は一対の第１可動部間に連結される。
【０００５】
収納ケースの両側壁にはガイドレールに外嵌される一対の第２可動部が設けられ、第２可動部はガイドレールに沿って前後方向に移動可能になっている。横仕切部は一対の第２可動部間に連結される。
【０００６】
第１可動部及び第２可動部は外側に付勢される押圧突起を有している。押圧突起がガイドレールの溝に係合して第１可動部及び第２可動部が係止される。
【０００７】
縦仕切部と横仕切部との交差位置には操作部が配される。操作部は前後方向に貫通した第１挿通部と、左右方向に貫通した第２挿通部とを有している。第１挿通部には縦仕切部の上端のロッドが挿通され、第２挿通部には横仕切部の上端のロッドが挿通される。
【０００８】
操作部を把持して左右方向に移動させると第２挿通部の内面が横仕切部の上端のロッド上を摺動し、第１可動部及び縦仕切部が左右方向に平行移動する。同様に、操作部を把持して前後方向に移動させると第１挿通部の内面が縦仕切部の上端のロッド上を摺動し、第２可動部及び横仕切部が前後方向に平行移動する。これにより、収納ケース内を所望の位置で仕切ることができる。
【０００９】
また、上記特許文献の他の実施形態では、ガイドレールには水平に延びる複数の溝が長手方向に並んで形成される。第１可動部及び第２可動部は溝内に係止されるローラにより形成される。
【先行技術文献】
【特許文献】
【００１０】
【特許文献１】米国特許出願公開第２０１０／０３１９３９１号（第３図、第５図）
【発明の概要】
【発明が解決しようとする課題】
【００１１】
しかしながら、上記従来の冷蔵庫によると、第１可動部及び第２可動部はガイドレール上の溝に押圧突起が係合して一箇所で係止される。このため、第１可動部及び第２可動部がスライド移動させる際に押圧突起を中心に傾倒する。これにより、第１可動部及び第２可動部がガイドレールの上下面に押圧され、第１可動部や第２可動部とガイドレールとの間の摩擦力が大きくなる。従って、第１可動部及び第２可動部を容易にスライド移動できないため、冷蔵庫の利便性が悪くなる問題があった。
【００１２】
また、ローラにより形成される第１可動部及び第２可動部はガイドレール上の溝内に嵌まり、一箇所で係止される。このため、縦仕切部及び横仕切部は貯蔵物がもたれ掛かった際にローラの回転軸を中心に傾倒する。従って、冷蔵庫の利便性が悪くなる問題があった。
【００１３】
本発明は、利便性を向上できる冷蔵庫を提供することを目的とする。
【課題を解決するための手段】
【００１４】
上記目的を達成するために本発明は、貯蔵室内に前後方向にスライド可能に配される収納ケースと、前記収納ケースの対向する周壁に沿ってそれぞれ移動可能な一対の可動部と、前記可動部間を連結して前記収納ケース内を仕切る仕切部とを備えた冷蔵庫において、前記周壁上に所定間隔で係止部を並設し、前記可動部が複数の前記係止部によって係止されることを特徴としている。
【００１５】
また本発明は上記構成の冷蔵庫において、前記係止部が前記周壁の縦面上に凹設される複数の凹部により形成され、前記可動部が前記周壁を挟む挟持部と、前記挟持部の内面に形成される突起部とを有し、前記挟持部の弾性により前記突起部と前記凹部とが係合して前記可動部が係止されることを特徴としている。
【００１６】
また本発明は上記構成の冷蔵庫において、前記係止部が前記周壁の縦面上から突出する複数の突起部により形成され、前記可動部が前記周壁を挟む挟持部と、前記挟持部の内面に凹設される凹部とを有し、前記挟持部の弾性により前記突起部と前記凹部とが係合して前記可動部が係止されることを特徴としている。
【００１７】
また本発明は上記構成の冷蔵庫において、前記可動部の下部に前記周壁の内面に向かって突出する突出部を設け、前記周壁の内面と前記突出部との水平方向の隙間が前記周壁の内面と前記突出部よりも上方の前記可動部との水平方向の隙間よりも小さいことを特徴としている。
【００１８】
また本発明は上記構成の冷蔵庫において、前記仕切部が上方から順に第１連結体及び第２連結体を並設して形成され、前記突出部を第２連結体と同じ高さに配したことを特徴としている。
【００１９】
また本発明は上記構成の冷蔵庫において、前記係止部が上面を開放した溝部により形成され、前記可動部が前記溝部に嵌合する嵌合部を有し、前記周壁上に載置される前記可動部の前記嵌合部が前記溝部に嵌合して前記可動部が係止されることを特徴としている。
【００２０】
また本発明は上記構成の冷蔵庫において、所定位置の前記溝部が他の前記溝部と異なる深さに形成されることを特徴としている。
【００２１】
また本発明は上記構成の冷蔵庫において、前記可動部が二対設けられ、一対の前記可動部が前記収納ケースの前壁及び後壁に沿って左右方向に移動するとともに、他の一対の前記可動部が前記収納ケースの両側壁に沿って前後方向に移動することを特徴としている。
【発明の効果】
【００２２】
本発明によると、収納ケースの対向する周壁上に所定間隔で設けられる複数の係止部によって可動部が係止される。このため、可動部を周壁に沿って移動させる際に可動部の傾倒が防止される。これにより、可動部を容易に移動させることができ、冷蔵庫の利便性を向上することができる。
【図面の簡単な説明】
【００２３】
【図１】本発明の第１実施形態の冷蔵庫を示す側面断面図
【図２】本発明の第１実施形態の冷蔵庫の上段ケースを示す斜視図
【図３】本発明の第１実施形態の冷蔵庫の上段ケースを示す上面図
【図４】本発明の第１実施形態の冷蔵庫の上段ケースを示す正面図
【図５】図４のＢ−Ｂ断面図
【図６】図３のＡ−Ａ断面図
【図７】本発明の第１実施形態の冷蔵庫の上段ケースの要部を示す斜視図
【図８】図６のＨ部詳細図
【図９】本発明の第１実施形態の冷蔵庫の係合部を示す上面断面図
【図１０】本発明の第２実施形態の冷蔵庫の上段ケースの前壁を示す部分上面図
【図１１】本発明の第２実施形態の冷蔵庫の上段ケースの前壁を示す部分背面図
【図１２】本発明の第２実施形態の冷蔵庫の上段ケースの前壁の側面断面図
【図１３】本発明の第３実施形態の冷蔵庫の上段ケースの前壁を示す部分上面図
【図１４】本発明の第３実施形態の冷蔵庫の上段ケースの前壁を示す部分背面図
【図１５】本発明の第３実施形態の冷蔵庫の上段ケースの前壁の側面断面図
【図１６】本発明の第４実施形態の冷蔵庫の上段ケースの前壁を示す部分上面図
【図１７】本発明の第４実施形態の冷蔵庫の上段ケースの前壁を示す部分背面図
【図１８】本発明の第４実施形態の冷蔵庫の上段ケースの前壁の側面断面図
【図１９】本発明の第５実施形態の冷蔵庫の上段ケースの前壁を示す背面斜視図
【図２０】本発明の第５実施形態の冷蔵庫の上段ケースの前壁を示す部分背面図
【図２１】本発明の第５実施形態の冷蔵庫の上段ケースの前壁を示す側面断面図
【図２２】本発明の第６実施形態の冷蔵庫の上段ケースの前壁を示す側面断面図
【発明を実施するための形態】
【００２４】
＜第１実施形態＞
以下に図面を参照して本発明の実施形態を説明する。図１は第１実施形態の冷蔵庫を示す右側面断面図である。冷蔵庫１は発泡断熱材を充填した断熱箱体３により形成される本体部２を有している。本体部２の上部には冷蔵室５が設けられる。冷蔵室５の下方には仕切壁１１を介して冷凍室７、８が設けられる。冷凍室７及び冷凍室８は上下方向に並設して連通し、本体部２の前部に配される左右に延びた仕切部１３により区分けされる。
【００２５】
冷凍室８の下方には断熱材を充填した仕切壁１２を介して野菜室９が設けられる。断熱箱体３の下部後方には機械室２０が設けられる。
【００２６】
冷蔵室５は貯蔵物を冷蔵保存し、野菜室９は冷蔵室５よりも高温に維持して野菜等の貯蔵物を冷蔵保存する。冷凍室７及び冷凍室８は貯蔵物を冷凍保存する。機械室２０内には冷凍サイクルを運転する圧縮機２１が配される。
【００２７】
冷蔵室５は左右端でそれぞれ枢支された観音開きの一対の扉１５により開閉される。扉１５の背面にはそれぞれドアポケット１５ａが設けられる。
【００２８】
冷凍室７、冷凍室８及び野菜室９はそれぞれ前後にスライドする扉１７、１８、１９により開閉される。冷凍室７の扉１７の背面には樹脂製の収納ケース３１が一体に形成され、冷凍室７の側壁に設けたレール部１７ａ上を収納ケース３１が摺動して扉１７が収納ケース３１とともにスライドする。
【００２９】
冷凍室８の扉１８には背面の両側部から後方に延びる一対のフレーム１８ａが設けられ、フレーム１８ａ上には樹脂製の収納ケース３２が載置される。フレーム１８ａ内には複数のローラ（不図示）が配され、冷凍室８の両側壁に設けたレール溝（不図示）内をローラが転動して扉１８が収納ケース３２と一体に前後にスライドする。
【００３０】
野菜室９の扉１９も同様に、背面の両側部から後方に延びる一対のフレーム１９ａが設けられ、フレーム１９ａ上には樹脂製の収納ケース３３が載置される。フレーム１９ａ内には複数のローラ（不図示）が配され、野菜室９の両側壁に設けたレール溝（不図示）内をローラが転動して扉１９が収納ケース３３と一体に前後にスライドする。
【００３１】
また、野菜室９の収納ケース３３は下方に配してフレーム１９ａ上に載置される下段ケース３４と、下段ケース３４上に載置される上段ケース３５とを有している。上段ケース３５は下段ケース３４上を摺動して前後にスライドする。
【００３２】
冷凍室７、８の背面部には冷気通路２４が設けられ、冷蔵室５の背面部には冷気通路２４とダンパ（不図示）を介して連通する冷気通路２５が設けられる。冷気通路２４には冷却器２２及び送風機２３が配され、冷凍室７に臨む吐出口２４ａ及び冷却器２２に冷気を戻す戻り口２４ｂが開口する。冷却器２２は圧縮機２１に接続され、冷気を生成する。
【００３３】
冷気通路２５には冷蔵室５に臨む吐出口２５ａが開口し、冷蔵室５からは野菜室９に連通する連通路（不図示）が導出される。野菜室９には冷却器２２に冷気を戻す戻り口（不図示）が設けられる。
【００３４】
圧縮機２１及び送風機２３の駆動によって冷気通路２４を流通する空気が冷却器２２と熱交換して冷気が生成され、吐出口２４ａから冷凍室７に吐出される。冷凍室７に吐出された冷気により冷凍室７及び冷凍室８内が冷却され、冷凍室７及び冷凍室８を流通した冷気は戻り口２４ｂを介して冷却器２２に戻る。これにより、冷凍室７及び冷凍室８内が氷点よりも低温に維持される。
【００３５】
また、ダンパが開かれると冷気通路２４を流通する冷気の一部が冷気通路２５に流入し、吐出口２５ａから冷蔵室５に吐出される。冷蔵室５に吐出された冷気により冷蔵室５内が冷却され、冷蔵室５内が氷点よりも高温に維持される。冷蔵室５を流通した冷気は連通路を介して野菜室９に流入し、野菜室９が冷蔵室５よりも高温に維持される。野菜室９を流通した冷気は戻り口を介して冷却器２２に戻る。
【００３６】
図２、図３、図４は野菜室９の収納ケース３３の上段ケース３５を示す斜視図、上面図及び正面図である。上段ケース３５は平面視略矩形に形成され、前壁３５ａ、後壁３５ｂ及び両側壁３５ｃによって周壁が形成される。上段ケース３５の両側端部の下面には下段ケース３４（図１参照）の側壁上に載置される脚部３５ｄが突設される。上段ケース３５の前壁３５ａには上段ケース３５を引き出す際に手指を掛ける把手部３５ｅが設けられる。
【００３７】
上段ケース３５の前壁３５ａ及び後壁３５ｂ上にはそれぞれ壁面に沿って左右方向に移動する一対の可動部５０が設けられる。上段ケース３５の両側壁３５ｃ上にはそれぞれ壁面に沿って前後方向に移動する一対の可動部６０が設けられる。
【００３８】
前後の可動部５０は縦仕切部４１（仕切部）により連結される。縦仕切部４１は上下に並設された棒状部材から成る第１縦連結体４１ａ及び第２縦連結体４１ｂを有している。第１縦連結体４１ａ及び第２縦連結体４１ｂがそれぞれ可動部５０を連結する。
【００３９】
左右の可動部６０は横仕切部４２（仕切部）により連結される。横仕切部４２は上下に並設された金属や樹脂の棒状部材から成る第１横連結体４２ａ及び第２横連結体４２ｂを有している。第１横連結体４２ａ及び第２横連結体４２ｂがそれぞれ可動部６０を連結する。また、横仕切部４２は縦仕切部４１と異なる高さに配置される。本実施形態では上方から順に第１横連結体４２ａ、第１縦連結体４１ａ、第２横連結体４２ｂ、第２縦連結体４１ｂが配される。
【００４０】
縦仕切部４１と横仕切部４２との平面視した際の交差位置には操作部８０が設けられる。操作部８０は第１縦連結体４１ａ及び第１横連結体４２ａが挿通され、操作部８０の操作によって縦仕切部４１及び横仕切部４２が平行移動する。
【００４１】
図５、図６は図４のＢ−Ｂ断面図及び図３のＡ−Ａ断面図をそれぞれ示している。また、図７は上段ケース３５の要部斜視図を示している。上段ケース３５の前壁３５ａ、後壁３５ｂ及び両側壁３５ｃの上部には連続した環状のレール部３７が設けられる。レール部３７の外側の縦面上には長手方向に所定間隔で複数の凹部３８が凹設される。可動部５０及び可動部６０はレール部３７上に載置される。
【００４２】
図８は図６のＨ部詳細図を示している。可動部５０は上段ケース３５の内側に配される内面部５１ａ及び外側に配される外面部５１ｂによってレール部３７を挟む挟持部５１を有している。挟持部５１の内面部５１ａは縦仕切部４１を保持し、レール部３７の内面に摺動する。挟持部５１の外面部５１ｂは内面部５１ａの上端の両側方に連結され、下端を開放して弾性変形可能に形成される。外面部５１ｂの内面側の下端にはレール部３７に向かって突出する突起部５２が設けられる。
【００４３】
図９はレール部３７及び挟持部５１の上面断面図を示している。図８、図９に示すように、挟持部５１はレール部３７を挟み、外面部５１ｂによって可動部５０がレール部３７に弾性支持される。縦仕切部４１を挟んで左右に配される２箇所の外面部５１ｂの突起部５２はそれぞれ弾性によりレール部３７の２箇所の凹部３８に係合し、可動部５０が所望位置に係止される。従って、凹部３８は可動部５０を係止する係止部を構成する。
【００４４】
操作部８０に左右方向に力が加えられると、外面部５１ｂの弾性変形によって突起部５２と凹部３８との係合が解除される。この時、可動部５０がレール部３７の２箇所の凹部３８で係止されているため、可動部５０の傾倒が防止される。これにより、可動部５０及び縦仕切部４１を容易に移動させることができる。また、貯蔵物が縦仕切部４１にもたれ掛かった際に縦仕切部４１の傾倒を防止することができる。
【００４５】
尚、可動部６０も同様に、内面部６１ａ及び外面部６１ｂから成る挟持部６１（いずれも図７参照）を有している。外面部６１ｂには凹部３８に係合する突起部６２（図７参照）が設けられる。
【００４６】
本実施形態によると、上段ケース３５（収納ケース）の対向する周壁上の長手方向に所定間隔で設けられる複数（本実施形態では２箇所）の凹部３８（係止部）によって可動部５０及び可動部６０が係止される。このため、可動部５０及び可動部６０を周壁に沿って移動させる際に可動部５０及び可動部６０の傾倒が防止される。これにより、可動部５０及び可動部６０を容易に移動させることができる。また、貯蔵物がもたれ掛かった縦仕切部４１及び横仕切部４２の傾倒が防止される。従って、冷蔵庫１の利便性を向上することができる。
【００４７】
尚、３箇所以上の凹部３８（係止部）によって可動部５０及び可動部６０を係止してもよい。
【００４８】
また、可動部５０及び可動部６０を係止する係止部が上段ケース３５の周壁の縦面上に凹設される凹部３８により形成され、可動部５０及び可動部６０が挟持部５１、６１の弾性により凹部３８に係合する突起部５２、６２を有する。これにより、突起部５２、６２と凹部３８との係合によって可動部５０及び可動部６０が係止される冷蔵庫１を容易に実現することができる。
【００４９】
尚、上段ケース３５の周壁の内面に凹部３８を形成し、突起部５２、６２を挟持部５１、６１の内面部５１ａ、６１ａに設けてもよい。
【００５０】
本実施形態において、第１、第２縦連結体４１ａ、４１ｂ及び第１、第２横連結体４２ａ、４２ｂを可動部５０、６０に張架されるＰＰバンド等の帯状部材や樹脂成形品の板状部材等により形成してもよい。
【００５１】
＜第２実施形態＞
次に、図１０、図１１は第２実施形態の冷蔵庫１の上段ケース３５の前壁３５ａの要部を示す部分上面図及び部分背面図である。また、図１２は上段ケース３５の前壁３５ａの側面断面図を示している。説明の便宜上、前述の図１〜図１１に示す第１実施形態と同様の部分には同一の符号を付している。
【００５２】
本実施形態は可動部５０及びレール部３７の構造が第１実施形態と異なっている。また、図示していないが、可動部６０（図７参照）は可動部５０と同様に構成される。その他の部分は第１実施形態と同様である。
【００５３】
上段ケース３５の周壁上部に形成される環状のレール部３７の縦面上には長手方向に所定周期で突起部３９が並設される。突起部３９は上下方向に延びて水平断面形状を円形に形成され、レール部３７の内側及び外側に突出する。
【００５４】
可動部５０はレール部３７上に載置され、レール部３７を挟む挟持部５１を有している。挟持部５１の内面部５１ａには樹脂成形品の板状部材から成る縦仕切部４１の第１縦連結体４１ａ及び第２縦連結体４１ｂを保持する。尚、横仕切部４２（図７参照）も同様に樹脂成形品の板状部材により形成される。縦仕切部４１及び横仕切部４２を棒状部材や帯状部材により形成してもよい。
【００５５】
挟持部５１の内面部５１ａ及び外面部５１ｂは下端を開放して弾性変形可能に形成され、それぞれの内面側には長手方向の２箇所に凹部５３が凹設される。
【００５６】
挟持部５１はレール部３７を挟持し、内面部５１ａ及び外面部５１ｂによって可動部５０がレール部３７に弾性支持される。縦仕切部４１を挟んで配される２箇所の凹部５３はそれぞれ弾性によりレール部３７の２箇所の突起部３９に係合し、可動部５０が所望位置に係止される。従って、突起部３９は可動部５０を係止する係止部を構成する。
【００５７】
操作部８０に左右方向に力が加えられると、挟持部５１の弾性変形によって突起部３９と凹部５３との係合が解除される。この時、可動部５０がレール部３７の２箇所の突起部３９で係止されているため、可動部５０の傾倒が防止される。これにより、可動部５０及び縦仕切部４１を容易に移動させることができる。また、貯蔵物が縦仕切部４１にもたれ掛かった際に縦仕切部４１の傾倒を防止することができる。
【００５８】
本実施形態によると、第１実施形態と同様に、上段ケース３５の長手方向に並設した複数の突起部３９（係止部）によって可動部５０及び可動部６０が係止される。このため、可動部５０及び可動部６０を周壁に沿って移動させる際に可動部５０及び可動部６０の傾倒が防止される。これにより、可動部５０及び可動部６０を容易に移動させることができる。また、貯蔵物がもたれ掛かった縦仕切部４１及び横仕切部４２の傾倒が防止される。従って、冷蔵庫１の利便性を向上することができる。
【００５９】
また、可動部５０及び可動部６０を係止する係止部が上段ケース３５の周壁の縦面上に突設される突起部３９により形成され、可動部５０及び可動部６０が挟持部５１、６１の弾性により突起部３９に係合する凹部５３を有する。これにより、突起部３９と凹部５３との係合によって可動部５０及び可動部６０が係止される冷蔵庫１を容易に実現することができる。
【００６０】
尚、突起部３９をレール部３７の内面側及び外面側の一方に設けてもよい。
【００６１】
＜第３実施形態＞
次に、図１３、図１４は第３実施形態の冷蔵庫１の上段ケース３５の前壁３５ａの要部を示す部分上面図及び部分背面図である。また、図１５は上段ケース３５の前壁３５ａの側面断面図を示している。説明の便宜上、前述の図１０〜図１２に示す第２実施形態と同様の部分には同一の符号を付している。
【００６２】
本実施形態は可動部５０及びレール部３７の構造が第２実施形態と異なっている。また、図示していないが、可動部６０（図７参照）は可動部５０と同様に構成される。その他の部分は第２実施形態と同様である。
【００６３】
上段ケース３５の周壁上部に形成される環状のレール部３７の縦面上には上下方向に所定周期で突起部３９が並設される。突起部３９はレール部３７の長手方向に延びて垂直断面形状を円形に形成され、レール部３７の内側及び外側に突出する。
【００６４】
可動部５０はレール部３７上に載置され、レール部３７を挟む挟持部５１を有している。挟持部５１の内面部５１ａには樹脂成形品の板状部材から成る縦仕切部４１の第１縦連結体４１ａ及び第２縦連結体４１ｂを保持する。尚、横仕切部４２（図７参照）も同様に樹脂成形品の板状部材により形成される。縦仕切部４１及び横仕切部４２を棒状部材や帯状部材により形成してもよい。
【００６５】
挟持部５１の内面部５１ａ及び外面部５１ｂは下端を開放して弾性変形可能に形成され、それぞれの内面側には上下方向の２箇所に凹部５３が凹設される。
【００６６】
挟持部５１はレール部３７を挟持し、内面部５１ａ及び外面部５１ｂによって可動部５０がレール部３７に弾性支持される。上下に配される２箇所の凹部５３はそれぞれ弾性によりレール部３７の２箇所の突起部３９に係合し、可動部５０が所望位置に係止される。従って、突起部３９は可動部５０を係止する係止部を構成する。
【００６７】
操作部８０に左右方向に力が加えられると、挟持部５１の弾性変形によって突起部３９と凹部５３との係合が解除される。この時、可動部５０がレール部３７の２箇所の突起部３９で係止されているため、可動部５０の傾倒が防止される。これにより、可動部５０及び縦仕切部４１を容易に移動させることができる。また、貯蔵物が縦仕切部４１にもたれ掛かった際に縦仕切部４１の傾倒を防止することができる。
【００６８】
本実施形態によると、第２実施形態と同様に、上下に並設した複数の突起部３９（係止部）によって可動部５０及び可動部６０が係止される。このため、可動部５０及び可動部６０を周壁に沿って移動させる際に可動部５０及び可動部６０の傾倒が防止される。これにより、可動部５０及び可動部６０を容易に移動させることができる。また、貯蔵物がもたれ掛かった縦仕切部４１及び横仕切部４２の傾倒が防止される。従って、冷蔵庫１の利便性を向上することができる。
【００６９】
また、可動部５０及び可動部６０を係止する係止部が上段ケース３５の周壁の縦面上に突設される突起部３９により形成され、可動部５０及び可動部６０が挟持部５１、６１の弾性により突起部３９に係合する凹部５３を有する。これにより、突起部３９と凹部５３との係合によって可動部５０及び可動部６０が係止される冷蔵庫１を容易に実現することができる。
【００７０】
＜第４実施形態＞
次に、図１６、図１７は第４実施形態の冷蔵庫１の上段ケース３５の前壁３５ａの要部を示す部分上面図及び部分背面図である。また、図１８は上段ケース３５の前壁３５ａの側面断面図を示している。説明の便宜上、前述の図１３〜図１５に示す第３実施形態と同様の部分には同一の符号を付している。
【００７１】
本実施形態は可動部５０及びレール部３７の構造が第３実施形態と異なっている。また、図示していないが、可動部６０（図７参照）は可動部５０と同様に構成される。その他の部分は第３実施形態と同様である。
【００７２】
上段ケース３５のレール部３７の縦面上には上下方向に所定周期で突起部３９が並設される。突起部３９はレール部３７の長手方向に延びて垂直断面形状を半円形に形成され、レール部３７の外側に突出する。
【００７３】
可動部５０の挟持部５１の内面部５１ａ及び外面部５１ｂは下端を開放して弾性変形可能に形成される。外面部５１ｂの内面側には上下方向の２箇所に凹部５３が凹設される。
【００７４】
上記構成によっても第３実施形態と同様の効果を奏することができる。尚、突起部３９をレール部３７の内側に突設し、凹部５３を挟持部５１の内面部５１ａに設けてもよい。
【００７５】
＜第５実施形態＞
次に、図１９、図２０は第５実施形態の冷蔵庫１の上段ケース３５の前壁３５ａの要部を示す背面斜視図及び部分背面図である。また、図２１は上段ケース３５の前壁３５ａの側面断面図を示している。説明の便宜上、前述の図１〜図１１に示す第１実施形態と同様の部分には同一の符号を付している。
【００７６】
本実施形態は可動部５０及びレール部３７の構造が第１実施形態と異なり、操作部８０（図２参照）が省かれている。また、図示していないが、可動部６０（図７参照）は可動部５０と同様に構成される。その他の部分は第１実施形態と同様である。
【００７７】
上段ケース３５の周壁上部に形成される環状のレール部３７の内面側には長手方向に所定周期で溝部３６が並設される。溝部３６は上面を開放し、深さの異なる溝部３６ａ及び溝部３６ｂを有している。溝部３６ｂはレール部３７の上端から下方に延びて形成される。溝部３６ａはレール部３７の内面に設けた段差部３６ｃの底面から下方に延びて形成される。溝部３６ａの下端と溝部３６ｂの下端は同じ高さに配される。
【００７８】
可動部５０はレール部３７上に載置され、樹脂成形品の板状部材から成る縦仕切部４１の第１縦連結体４１ａ及び第２縦連結体４１ｂを保持する。尚、横仕切部４２（図７参照）も同様に樹脂成形品の板状部材により形成される。縦仕切部４１及び横仕切部４２を棒状部材や帯状部材により形成してもよい。
【００７９】
可動部５０はレール部３７の内面に面して上下方向に延びる嵌合部５４が縦仕切部４１を挟む長手方向の２箇所に形成される。
【００８０】
可動部５０の２箇所の嵌合部５４はそれぞれレール部２７の２箇所の溝部３６に嵌合し、可動部５０が所望位置に係止される。従って、溝部３６は可動部５０を係止する係止部を構成する。
【００８１】
可動部５０または縦仕切部４１を把持して持ち上げて嵌合部５４が所望位置の溝部３６に挿入される。このため、可動部５０を周壁に沿って移動させる際に可動部５０の傾倒が防止される。これにより、可動部５０を容易に移動させることができる。また、可動部５０が２箇所の溝部３６で係止されるため、貯蔵物が縦仕切部４１にもたれ掛かった際に縦仕切部４１の傾倒を防止することができる。
【００８２】
また、深さの深い溝部３６ｂは使用頻度の高い位置に配置され、深さの浅い溝部３６ａは使用頻度の低い位置に配置される。これにより、使用頻度の高い位置で溝部３６ｂと嵌合部５４との嵌合深さが大きくなり、縦仕切部４１の傾倒をより確実に防止することができる。また、使用頻度の低い位置で溝部３６ｂと嵌合部５４との嵌合深さが小さくなり、縦仕切部４１を容易に移設することができる。
【００８３】
本実施形態によると、第１実施形態と同様に、上段ケース３５の長手方向に並設した複数の溝部３６（係止部）によって可動部５０及び可動部６０が係止される。このため、可動部５０及び可動部６０を容易に移動させることができる。また、貯蔵物がもたれ掛かった縦仕切部４１及び横仕切部４２の傾倒が防止される。従って、冷蔵庫１の利便性を向上することができる。
【００８４】
また、可動部５０及び可動部６０を係止する係止部が上面を開放した溝部３６により形成され、可動部５０及び可動部６０が溝部３６に嵌合する嵌合部５４を有する。これにより、嵌合部５４と溝部３６との嵌合によって可動部５０及び可動部６０が係止される冷蔵庫１を容易に実現することができる。尚、溝部３６をレール部３７の内面側に設けているが、外面側に設けてもよい。
【００８５】
また、溝部３６ａと溝部３６ｂとが異なる深さに形成される。これにより、使用頻度の高い位置で嵌合部５４と溝部３６ｂとの嵌合深さを大きくし、縦仕切部４１及び横仕切部４２の傾倒をより確実に防止できる。また、使用頻度の低い位置で嵌合部５４と溝部３６ｂとの嵌合深さを小さくし、縦仕切部４１及び横仕切部４２を容易に移設することができる。
【００８６】
＜第６実施形態＞
次に、図２２は上段ケース３５の前壁３５ａの側面断面図を示している。説明の便宜上、前述の図１〜図１１に示す第１実施形態と同様の部分には同一の符号を付している。本実施形態は可動部５０の下部に突出部５５が設けられる。また、図示していないが、可動部６０（図７参照）は可動部５０と同様に構成される。その他の部分は第１実施形態と同様である。
【００８７】
可動部５０は上段ケース３５の内側で上下方向に延び、第１縦連結体４１ａ及び第２縦連結体４１ｂは可動部５０に設けた支持溝５０ａに差し込まれて支持される。上段ケース３５の周壁の上部に形成されるレール部３７は可動部５０の上部の挟持部５１によって挟まれる。可動部５０の下部には上段ケース３５の周壁（前壁３５ａ）の内面に向かって突出するスポット形状の突出部５５が設けられる。突出部５５は支持溝５０ａの背面側から突出して第２縦連結体４１ｂと同じ高さに配置される。
【００８８】
上段ケース３５の周壁には長手方向に延びて突出部５５に嵌合する溝部３５ｆが設けられる。溝部３５ｆの底壁は上段ケース３５の周壁の内面を形成し、溝部３５ｆの底壁と突出部５５との間には水平方向の隙間が設けられる。該隙間は上段ケース３５の周壁の内面と突出部５５よりも上方の可動部５０との水平方向の隙間よりも小さく形成される。
【００８９】
縦仕切部４１を移動させる際に操作部８０（図２参照）を介して縦仕切部４１が下方に押圧されると、可動部５０及び縦仕切部４１が弾性変形する。この時、上段ケース３５の周壁の内面と突出部５５との隙間が小さいため、上段ケース３５の周壁に対して突出部５５よりも上方の可動部５０が離れた状態で突出部５５が当接する。このため、可動部５０と上段ケース３５との接触面積を小さくすることができる。従って、可動部５０の摩擦による摺動性低下を防止することができ、可動部５０及び縦仕切部４１を円滑に移動させることができる。
【００９０】
尚、溝部３５ｆの底壁と突出部５５とを接触させてもよく、突出部５５を水平方向に延びるリブ形状に形成してもよい。また、突出部５５に嵌合する溝部３５ｆを省いてもよいが、溝部３５ｆによって突出部５５を上段ケース３５の周壁の長手方向に案内することができる。このため、可動部５０及び縦仕切部４１をより円滑に移動させることができる。
【００９１】
また、突出部５５が第２縦連結体４１ｂと同じ高さに配されるため、支持溝５０ａの背面側に突出する突出部５５の突出量に応じて支持溝５０ａを深く形成できる。これにより、支持溝５０ａに対する第２縦連結体４１ｂの差込量を大きくすることができ、第２縦連結体４１ｂを安定して支持することができる。
【００９２】
本実施形態によると、第１実施形態と同様の効果を得ることができる。また、上段ケース３５の周壁の内面と突出部５５との水平方向の隙間が周壁の内面と突出部５５よりも上方の可動部５０との水平方向の隙間よりも小さく形成される。これにより、可動部５０の摩擦による摺動性低下を防止し、可動部５０及び縦仕切部４１を円滑に移動させることができる。同様に、可動部６０及び横仕切部４２を円滑に移動させることができる。従って、冷蔵庫１の利便性をより向上することができる。
【００９３】
また、突出部５５が縦仕切部４１の第２縦連結体４１ｂと同じ高さに配置されるので、可動部５０に差し込まれる第２縦連結体４１ｂの差込量を大きくできる。従って、第２縦連結体４１ｂを安定して支持することができる。
【００９４】
尚、第１〜第６実施形態において、縦仕切部４１が上下に並設される第１縦連結体４１ａ及び第２縦連結体４１ｂにより形成されるが、第２縦連結体４１ｂを省いてもよい。また、横仕切部４２が上下に並設される第１横連結体４２ａ及び第２横連結体４２ｂにより形成されるが、第２横連結体４２ｂを省いてもよい。
【００９５】
また、縦仕切部４１及び横仕切部４２がそれぞれ可動部５０及び可動部６０によって移動可能に形成されるが、縦仕切部４１及び横仕切部４２の一方を固定にしてもよい。また、可動部５０、６０により移動する縦仕切部４１及び横仕切部４２が上段ケース３５に設けられるが、下段ケース３４や収納ケース３１、３２に設けてもよい。
【産業上の利用可能性】
【００９６】
本発明によると、収納ケース内に仕切りを設けた冷蔵庫に利用することができる。
【符号の説明】
【００９７】
１    冷蔵庫
２    本体部
３    断熱箱体
５    冷蔵室
７、８  冷凍室
９    野菜室
１１、１２  仕切壁
１５、１７、１８、１９  扉
２０    機械室
２１    圧縮機
２２    冷却器
２３    送風機
２４、２５  冷気通路
３１、３２、３３  収納ケース
３４    下段ケース
３５    上段ケース
３５ａ  前壁
３５ｂ  後壁
３５ｃ  側壁
３６、３６ａ、３６ｂ  溝部
３７    レール部
３８    凹部
３９    突起部
４１    縦仕切部
４１ａ  第１縦連結体
４１ｂ  第２縦連結体
４２    横仕切部
４２ａ  第１横連結体
４２ｂ  第２横連結体
５０、６０  可動部
５１、６１  挟持部
５２、６２  突起部
５３    凹部
５４    嵌合部
５５    突出部
８０    操作部
【図１】
2016161264.tif 000003
【図２】
2016161264.tif 000004
【図３】
2016161264.tif 000005
【図４】
2016161264.tif 000006
【図５】
2016161264.tif 000007
【図６】
2016161264.tif 000008
【図７】
2016161264.tif 000009
【図８】
2016161264.tif 000010
【図９】
2016161264.tif 000011
【図１０】
2016161264.tif 000012
【図１１】
2016161264.tif 000013
【図１２】
2016161264.tif 000014
【図１３】
2016161264.tif 000015
【図１４】
2016161264.tif 000016
【図１５】
2016161264.tif 000017
【図１６】
2016161264.tif 000018
【図１７】
2016161264.tif 000019
【図１８】
2016161264.tif 000020
【図１９】
2016161264.tif 000021
【図２０】
2016161264.tif 000022
【図２１】
2016161264.tif 000023
【図２２】
2016161264.tif 000024